(57)【特許請求の範囲】
【請求項１】
移動通信システムにおける端末機がセル選択する方法であって、
サービングセルから隣接セルリストに対する情報及びＣＳＧ(Closed Subscriber Group)セルに対する情報を受信するステップと、
前記隣接セルリストに対する情報に基づいて、少なくとも一つの隣接セルに対してメジャメントを遂行するステップと、
前記メジャメントに基づいて候補セルを決定するステップと、
前記候補セルからＣＳＧセルに関連した情報を示すインジケータ及びＣＳＧ ＩＤを受信するステップと、
前記インジケータが、前記端末機が前記ＣＳＧセルに接続可能であることを示すインジケータであり、前記ＣＳＧ ＩＤが前記端末機に設定されたＣＳＧリストに含まれる場合、前記候補セルを選択するステップと、を含むことを特徴とするセル選択方法。
【請求項２】
前記隣接セルリストに対する情報は、少なくとも一つの隣接セルに該当する少なくとも一つのオフセット値を含み、
前記オフセット値はメジャメントを決定するために使用されることを特徴とする請求項１に記載のセル選択方法。
【請求項３】
前記候補セルからＰＬＭＮ(Public Land Mobile Network)情報を受信するステップをさらに含むことを特徴とする請求項１に記載のセル選択方法。
【請求項４】
前記候補セルが登録されたまたは選択されたＰＬＭＮに属する場合、前記候補セルを選択するステップをさらに含むことを特徴とする請求項１に記載のセル選択方法。
【請求項５】
前記ＣＳＧリストは、前記端末機の汎用加入者識別モジュールに予め格納されていることを特徴とする請求項１に記載のセル選択方法。
【請求項６】
前記ＣＳＧ ＩＤが前記端末機に設定されているＣＳＧリストに含まれると、前記ＣＧＳセルに関連した情報を示すインジケータは、前記端末機が接続可能であることを示すことを特徴とする請求項１に記載のセル選択方法。
【請求項７】
前記ＣＳＧリストは、予め決定された上位ネットワークから前記端末機にシグナルリングされることを特徴とする請求項１に記載のセル選択方法。
【請求項８】
前記ＣＳＧ ＩＤ及び前記ＣＧＳセルに関連した情報を示すインジケータは、前記候補セルからシステム情報を通じて受信されることを特徴とする請求項１に記載のセル選択方法。
【請求項９】
前記ＣＳＧ ＩＤが前記ＣＧＳリストに含まれていない場合、前記候補セルをセル選択が不可能な候補セルに識別することを特徴とする請求項１に記載のセル選択方法。
【請求項１０】
前記少なくとも一つのオフセット値に基づいて前記隣接セルリストに対する情報から隣接セルを抽出するステップをさらに含むことを特徴とする請求項２に記載のセル選択方法。
【請求項１１】
前記抽出された隣接セルが前記ＣＳＧリストに含まれていない場合、前記抽出された隣接セルの優先レベルが減少されることを特徴とする請求項１０に記載のセル選択方法。
【請求項１２】
前記抽出された隣接セルのＣＳＧ ＩＤがＣＧＳリストに含まれているか否かを決定するステップをさらに含むことを特徴とする請求項１０に記載のセル選択方法。
【請求項１３】
移動通信システムにおける端末機がセル選択する装置であって、
サービングセルから隣接セルリストに対する情報及びＣＳＧ(Closed Subscriber Group)セルに対する情報を受信し、メジャメントに基づいて決定された候補セルからＣＳＧセルに関連した情報を示すインジケータ及びＣＳＧ ＩＤを受信する受信部と、
前記隣接セルリストに対する情報に基づいて少なくとも一つの隣接セルに対してメジャメントを遂行し、前記メジャメントに基づいて候補セルを決定し、前記インジケータが、前記端末機が前記ＣＳＧセルに接続可能であることを示すインジケータであり、前記ＣＳＧ ＩＤが前記端末機に設定されたＣＳＧリストに含まれる場合、前記候補セルを選択する制御部と、を含むことを特徴とするセル選択装置。
【請求項１４】
前記隣接セルリストに対する情報は、少なくとも一つの隣接セルに該当する少なくとも一つのオフセット値を含み、
前記オフセット値はメジャメントを決定するために使用されることを特徴とする請求項１３に記載のセル選択装置。
【請求項１５】
前記受信部は、前記候補セルからＰＬＭＮ(Public Land Mobile Network)情報を受信することを特徴とする請求項１３に記載のセル選択装置。
【請求項１６】
前記制御部は、前記候補セルが登録されたまたは選択されたＰＬＭＮに属する場合、前記候補セルを選択することを特徴とする請求項１３に記載のセル選択装置。
【請求項１７】
前記ＣＳＧリストは、前記端末機の汎用加入者識別モジュールに予め格納されていることを特徴とする請求項１３に記載のセル選択装置。
【請求項１８】
前記ＣＳＧ ＩＤが前記端末機に設定されているＣＳＧリストに含まれると、前記ＣＧＳセルに関連した情報を示すインジケータは、前記端末機が接続可能であることを示すことを特徴とする請求項１３に記載のセル選択装置。
【請求項１９】
前記ＣＳＧリストは、予め決定された上位ネットワークから前記端末機にシグナルリングされることを特徴とする請求項１３に記載のセル選択装置。
【請求項２０】
前記ＣＳＧ ＩＤ及び前記ＣＧＳセルに関連した情報を示すインジケータは、前記候補セルからシステム情報を通じて受信されることを特徴とする請求項１３に記載のセル選択装置。
【請求項２１】
前記制御部は、前記ＣＳＧ ＩＤが前記ＣＧＳリストに含まれていない場合、前記候補セルをセル選択が不可能な候補セルに識別することを特徴とする請求項１３に記載のセル選択装置。
【請求項２２】
前記少なくとも一つのオフセット値に基づいて前記隣接セルリストに対する情報から隣接セルを抽出する前記制御部をさらに含むことを特徴とする請求項１４に記載のセル選択装置。
【請求項２３】
前記制御部は、前記抽出された隣接セルが前記ＣＳＧリストに含まれていない場合、前記抽出された隣接セルの優先レベルが減少されるように制御することを特徴とする請求項２２に記載のセル選択装置。
【請求項２４】
前記制御部は、前記抽出された隣接セルのＣＳＧ ＩＤがＣＧＳリストに含まれているか否かを決定することを特徴とする請求項２２に記載のセル選択装置。
【請求項２５】
移動通信システムにおける基地局がＣＳＧ(Closed Subscriber Group)セルをサービスする方法であって、
システム情報で隣接セルリストに対する情報、ＣＳＧ(Closed Subscriber Group)セルに対する情報、ＣＳＧセルに関連した情報を示すインジケータ及びＣＳＧ ＩＤを設定するステップと、
前記設定された隣接セルリストに対する情報、ＣＳＧ(Closed Subscriber Group)セルに対する情報、ＣＳＧセルに関連した情報を示すインジケータ及びＣＳＧ ＩＤをシステム情報に含めて、前記セル内の少なくとも一つの端末機にブロードキャスティングするステップと、を含むことを特徴とするＣＳＧセルをサービスする方法。
【請求項２６】
前記隣接セルリストに対する情報は、少なくとも一つの隣接セルに該当する少なくとも一つのオフセット値を含み、
前記オフセット値はメジャメントを決定するために使用されることを特徴とする請求項２５に記載のＣＳＧセルをサービスする方法。
【請求項２７】
前記ＣＳＧ ＩＤが前記端末機に設定されているＣＳＧリストに含まれると、前記ＣＧＳセルに関連した情報を示すインジケータは、前記端末機が接続可能であることを示すことを特徴とする請求項２５に記載のＣＳＧセルをサービスする方法。
【請求項２８】
前記ＣＳＧリストは、予め決定された上位ネットワークから前記端末機にシグナルリングされることを特徴とする請求項２５に記載のＣＳＧセルをサービスする方法。
【請求項２９】
移動通信システムにおける基地局がＣＳＧ(Closed Subscriber Group)セルをサービスする装置であって、
システム情報で隣接セルリストに対する情報、ＣＳＧ(Closed Subscriber Group)セルに対する情報、ＣＳＧセルに関連した情報を示すインジケータ及びＣＳＧ ＩＤを設定する設定部と、
前記設定された隣接セルリストに対する情報、ＣＳＧ(Closed Subscriber Group)セルに対する情報、ＣＳＧセルに関連した情報を示すインジケータ及びＣＳＧ ＩＤをシステム情報に含めて、前記セル内の少なくとも一つの端末機にブロードキャスティングする送受信部と、を含むことを特徴とするＣＳＧセルをサービスする装置。
【請求項３０】
前記隣接セルリストに対する情報は、少なくとも一つの隣接セルに該当する少なくとも一つのオフセット値を含み、
前記オフセット値はメジャメントを決定するために使用されることを特徴とする請求項２９に記載のＣＳＧセルをサービスする装置。
【請求項３１】
前記ＣＳＧ ＩＤが前記端末機に設定されているＣＳＧリストに含まれると、前記ＣＧＳセルに関連した情報を示すインジケータは、前記端末機が接続可能であることを示すことを特徴とする請求項２９に記載のＣＳＧセルをサービスする装置。
【請求項３２】
前記ＣＳＧリストは、予め決定された上位ネットワークから前記端末機にシグナルリングされることを特徴とする請求項２９に記載のＣＳＧセルをサービスする装置。
【発明の詳細な説明】
【技術分野】
【０００１】
本発明は移動通信システムに関するもので、特に公衆セルを含む移動通信システムにおいて、特定のユーザー端末(User Equipment:以下、“ＵＥ”と称する)のみがアクセス可能なホームセル(Home cell)又は個人ネットワーク(Private network)にセル選択を遂行する装置及び方法を提供することにある。
【背景技術】
【０００２】
ＵＭＴＳ(Universal Mobile Telecommunications System)は、ヨーロッパの移動通信システムであるＧＳＭ((登録商標) Global System for Mobile Communications）及びＧＰＲＳ(General Packet Radio Services)に基づき、符号分割多元接続(Code Division Multiple Access：以下、“ＣＤＭＡ”と称する)を使用する第３世代(３Ｇ)非同期移動通信システムである。
【０００３】
現在、標準化されたＵＭＴＳが、次世代として進化したＵＭＴＳのＬＴＥ(Long Term Evolution)システムに対して議論が進行されている。
【０００４】
３ＧＰＰ(3rd Generation Partnership Project) ＬＴＥは、２０１０年までの商用化を目標として、１００Ｍｂｐｓ以上のパケット通信を可能にする技術である。
【０００５】
ＬＴＥシステムを実現するために、色々な通信方式が提案されている。その中には、ネットワーク構造を単純化して通信回線上のノードの数を減少させ、あるいは無線チャンネルに対して無線プロトコルを最適化する方式がある。
【０００６】
図１は、本発明が適用される次世代ＵＭＴＳ移動通信システムを示す。
【０００７】
図１を参照すると、次世代ＵＭＴＳ無線アクセスネットワーク(Ｅ-ＵＴＲＡＮ)１１０は、次世代基地局(Evolved Node B：以下、“ＥＮＢ”と称する)１２０，１２２，１２４及びアンカー(anchor)ノード１３０、又はＥＮＢ１２６，１２８及びアンカーノード１３２を含む２ノード構造に単純化される。
【０００８】
ＵＥ１０１は、Ｅ-ＵＴＲＡＮ１１０を介してインターネットプロトコル(ＩＰ)ネットワークに接続される。ＥＮＢ１２０〜１２８は、ＵＭＴＳシステムのレガシー(legacy)基地局(Node B)に対応し、無線チャンネルを介してＵＥ１０１に接続される。レガシー基地局に比べて、ＥＮＢ１２０〜１２８は、上記システムより一層複雑な役割を担当する。
【０００９】
例えば、ＶｏＩＰ(Voice Over IP)のようなリアルタイムサービスを含むすべてのユーザートラフィックは、３ＧＰＰ ＬＴＥで共有チャンネルを通じてサービスされるため、ＵＥの状態情報を収集してスケジューリングするためのエンティティが要求され、ＥＮＢ１２０〜１２８はこのスケジューリングを担当する。一般に、一つのＥＮＢは、複数のセルを制御し、ＵＥのチャンネル状態によって変調方式とチャンネル符号化率を適応的に選択することによって適応変調符号化(Adaptive Modulation and Coding：以下、“ＡＭＣ”と称する）を遂行する。
【００１０】
ＵＭＴＳの高速ダウンリンクパケットアクセス(High Speed Downlink Packet Access：以下、“ＨＳＤＰＡ”と称する)及び高速アップリンクパケットアクセス(High Speed Uplink Packet Access：以下、“ＨＳＵＰＡ”と称する)、またはＥＤＣＨ(Enhanced Dedicated CHannel)のように、ＬＴＥシステムは、ＥＮＢ１２０〜１２８とＵＥ１０１との間でハイブリッド自動再送要求(ＨＡＲＱ)を使用する。
【００１１】
ＨＡＲＱでは多様なサービス品質(ＱｏＳ）の要求を満足できないことを考慮すれば、上位階層は、ＵＥ１０１とＥＮＢ１２０〜１２８との間で他のＡＲＱを遂行することができる。ＨＡＲＱは、以前のデータを廃棄せずに、再伝送されたデータとソフトコンバイニングすることで、受信成功率を増加させる技術である。ＨＳＤＰＡ又はＥＤＣＨのような高速パケット通信システムは、伝送効率を高めるためにＨＡＲＱを使用する。
【００１２】
１００Ｍｂｐｓ以上のデータレートを実現するために、ＬＴＥシステムは、２０ＭＨｚの帯域幅で直交周波数分割多重(Orthogonal Frequency Division Multiplexing：以下、“ＯＦＤＭ”と称する)方式を無線アクセス技術として採用する。
【００１３】
レガシーＵＭＴＳシステムからサービスを差別化するために、３ＧＰＰ ＬＴＥ標準化ワーキンググループは、このＬＴＥシステムのためにホームセル又は個人ネットワークの使用を考慮している。このホームセル又は個人ネットワークは、特定のＵＥ又はＵＥグループのみにサービスを提供するセル又はネットワークを意味する。
【００１４】
しかしながら、ホームセル又は個人ネットワークを適用するためのセル(再)選択方法は、まだ明記及び言及されていない。したがって、ＵＥの移動性に関連したセル選択のためのレガシーＵＭＴＳシステムの従来方法は、ホームセル又は個人ネットワークがマクロセル(以下、“公衆セル(public cell)”と称する)と共存する移動通信システムでは実行が可能でない。その理由は、前述したように、従来のセル選択方法は、ホームセル又は個人ネットワークの概念が適用されていないためである。
【００１５】
公衆セルと共にホームセル又は個人ネットワークを有する通信システムにおける従来のセル選択を遂行する他の問題点は、すべてのＵＥがホームセル又は個人ネットワークに該当するセルを公衆セルと同一であると認知し、従来の測定結果によってセル選択を遂行するということである。したがって、ＬＴＥシステムのホームセル又は個人ネットワークの存在を考慮して、より具体的なセル選択方法が必要な実情である。
【先行技術文献】
【特許文献】
【００１６】
【特許文献１】国際公開第２００５／０９４１１１号
【発明の概要】
【発明が解決しようとする課題】
【００１７】
したがって、上記した従来技術の問題点を解決するために、本発明の目的は、特定のＵＥ又はＵＥグループのみが公衆セルと共存している通信システムにおいて、特定セルにアクセスできるホームセル又は個人ネットワークとして特定セルにセル選択を遂行する方法及び装置を提供することにある。
【００１８】
また、本発明の目的は、公衆セルと混在されている移動通信システムにおいて、ホームセル又は個人ネットワークを公衆セルと区別することによって、このホームセル又は個人ネットワークにセル選択を遂行するＵＥの装置及び方法を提供することにある。
【課題を解決するための手段】
【００１９】
上記のような目的を達成するために、本発明の一態様によれば、移動通信システムにおけるユーザー端末(ＵＥ)がホームセル又は個人ネットワークにセル選択を遂行する方法であって、サービングセル及び隣接セルの測定によって候補セルを判定するステップと、候補セルからシステム情報のホームセル又は個人ネットワークを示すインジケータを受信するステップと、候補セルがＵＥに設定されているホームセル又は個人ネットワークリストに含まれるか否かを判定するステップと、候補セルがホームセル又は個人ネットワークリストに含まれると、セル選択のために候補セルを選択するステップと、を有することを特徴とする。
【００２０】
本発明の他の態様によれば、移動通信システムにおけるＵＥのホームセル又は個人ネットワークにセル選択を遂行する方法であって、サービングセルからシステム情報のホームセル又は個人ネットワークを示すオフセットを有する少なくとも一つの隣接セルを含む隣接セルリストを受信するステップと、オフセットを有する隣接セルを抽出し、抽出された隣接セルがホームセル又は個人ネットワークリストに含まれているか否かを判定するステップと、抽出された隣接セルがホームセル又は個人ネットワークリストに含まれていると、抽出された隣接セルの測定にオフセットを加算し、候補セルとして抽出された隣接セルを選択するステップと、候補セルからシステム情報を受信し、候補セルを選択するステップとを有することを特徴とする。
【００２１】
また、本発明の他の態様によれば、移動通信システムにおけるホームセル又は個人ネットワークにセル選択を遂行するＵＥ装置であって、サービングセル及び隣接セルの測定によって候補セルを判定する測定部と、候補セルからシステム情報のホームセル又は個人ネットワークを示すインジケータを受信するインジケータ分析部と、候補セルがＵＥに設定されたホームセル又は個人ネットワークリストに含まれているか否かを判定するアクセス可能判定部と、候補セルがホームセル又は個人ネットワークリストに含まれていると、セル選択のために候補セルを選択するセル再選択判定部と、を含むことを特徴とする。
【００２２】
さらに、本発明の他の態様によれば、移動通信システムにおけるホームセル又は個人ネットワークにセル選択を遂行するＵＥ装置であって、サービングセルからシステム情報にホームセル又は個人ネットワークを示すオフセットを有する少なくとも一つの隣接セルを含む隣接セルリストを受信する隣接セルリストと、オフセットを有する隣接セルを抽出する抽出部と、抽出された隣接セルがホームセル又は個人ネットワークリストに含まれているか否かを判定するアクセス可能判定部と、抽出された隣接セルがホームセル又は個人ネットワークリストに含まれていると、抽出された隣接セルの測定にオフセット加算し、抽出された隣接セルを候補セルとして選択し、候補セルからのシステム情報を受信し、候補セルを選択するセル再選択判定部と、を含むことを特徴とする。
【発明の効果】
【００２３】
本発明は、セル選択のために、ＵＥが格納しているホームセル又は個人ネットワークに関する情報を含むアクセス可能リストと、システム情報に受信されたターゲットセルのセルＩＤ情報とを比較し、所定のＵＥ又はＵＥグループがアクセス可能なホームセル又は個人ネットワークを候補セルとして選択する。したがって、ＵＥは、所定のＵＥ又はＵＥグループのための差別化されたサービスを受信する。
【００２４】
ＵＥは、リストをサービングセルから受信されたシステム情報の隣接セルリストにオフセットを有する隣接セルと比較し、セル選択のための候補セルとして隣接セルを選択する。隣接セルの測定結果はオフセットを用いて優先順位を付け、その測定の信頼性及び効率性が増加する効果を有する。
【００２５】
また、ＵＥがホームセル又は個人ネットワークとして動作する可能性が低い隣接セルを測定コンテキストから削除するため、その測定プロセスは単純化される長所を有する。すなわち、ＵＥは、測定コンテキストから隣接セルを削除し、それによってその測定効率性が最大化される。
【００２６】
さらに、本発明は、ホームセル又は個人ネットワークとして動作する可能性が高い隣接セルに対してより高い優先順位が与えられる。そのため、測定後のセル選択に対する信頼性が保証される効果を有する。
【図面の簡単な説明】
【００２７】
【図１】本発明が適用される３ＧＰＰ ＬＴＥシステムの構成を示す図である。
【図２】本発明の第１の実施形態によるホームセル又は個人ネットワークに対してセルを選択する方法を示す図である。
【図３】本発明の第１の実施形態によるＵＥの動作を示すフローチャートである。
【図４】本発明の第１の実施形態によるＥＮＢの動作を示すフローチャートである。
【図５】本発明の第１の実施形態によるＵＥを示すブロック構成図である。
【図６】本発明の第１の実施形態によるＥＮＢを示すブロック構成図である。
【図７】本発明の第２の実施形態によるホームセル又は個人ネットワークに対してセルを選択する方法を示す図である。
【図８Ａ】本発明の第２の実施形態によるＵＥの動作を示すフローチャートである。
【図８Ｂ】本発明の第２の実施形態によるＵＥの動作を示すフローチャートである。
【図９】本発明の第２の実施形態によるＥＮＢの動作を示すフローチャートである。
【図１０】本発明の第２の実施形態によるＵＥを示すブロック構成図である。
【図１１】本発明の第２の実施形態によるＥＮＢを示すブロック構成図である。
【発明を実施するための形態】
【００２８】
以下、本発明の望ましい実施形態を添付の図面を参照して詳細に説明する。
【００２９】
下記に、本発明の実施形態において、本発明の範囲及び精神を外れない限り、多様な変形が可能であることは、当該技術分野における通常の知識を有する者には明らかである。また、本発明に関連した公知の機能または構成に関する具体的な説明が本発明の要旨を不明にすると判断された場合に、その詳細な説明を省略する。
【００３０】
本発明の望ましい実施形態では、３ＧＰＰ ＵＭＴＳシステムから進化した３ＧＰＰ ＬＴＥシステムについて説明しているが、本発明は、ＵＥがその測定方式を通じてセル(再)選択を遂行する他の移動通信システムにも適用可能であることはもちろんである。
【００３１】
本発明の好ましい実施形態は、ホームセル又は個人ネットワークを導入して特定のＵＥ又は特定のＵＥグループに専用的なサービスを支援する移動通信環境及びシステムを提案する。また、本発明の好ましい実施形態は、ホームセル又は個人ネットワークが公衆セル(マクロセル)と混在されている移動通信システムにおいて、ＵＥに提供されるサービスによってホームセル又は個人ネットワークを効率的に選択及び再選択する方法を提供する。
【００３２】
以下、セル選択の説明は、セル再選択にも適用される。ホームセル、個人ネットワーク、及びオフィスネットワークセルは、特定のＵＥ又はＵＥグループのみによって接続可能なＣＳＧ(Closed Subscriber Group)セルのタイプである。ここで、便宜上、用語ＣＳＧセル、ホームセル、及び個人ネットワークは交互に使用される。
【００３３】
＜第１の実施形態＞
【００３４】
移動通信システムは、ターゲットセルが、放送システム情報で少なくとも一つの特定ＵＥにアクセス可能な特定セル、すなわちホームセル又は個人ネットワークであるか否かを示すインジケータをシグナリングする。インジケータがホームセル又は個人ネットワークを示すと、ＵＥは、少なくとも一つの特定ＵＥのみにアクセス可能な少なくとも一つの特定のホームセル又は個人ネットワークに関する情報を含む格納された特定リスト(以下、アクセス可能リスト)を、ターゲットセルに関するセル情報と比較する。アクセス可能リストにターゲットセルが存在する場合、ＵＥは、ターゲットセルが選択又は再選択可能であると判定する。ターゲットセルがアクセス可能リストに存在しない場合には、ＵＥは、ターゲットセルが選択又は再選択可能でないと判定する。
【００３５】
例えば、ＵＥによって選択された公衆地上移動ネットワーク(Public Land Mobile Network：以下、“ＰＬＭＮ”と称する)が、ターゲットセルからブロードキャスティングされるＰＬＭＮと情報が同一であると、ＵＥは、アクセス可能リストがターゲットセルから受信されたセルＩＤ(Identifier)を含むか否かをチェックする。セルＩＤがＰＬＭＮに関係なく固有(unique)値を有すると、ＰＬＭＮを比較する必要がない。
【００３６】
図２は、本発明の第１の実施形態によるホームセル又は個人ネットワークにセル選択を遂行する方法を示す図である。
【００３７】
図２を参照すると、参照符号２０１はＵＥを表し、参照符号２０２は、ＵＥ２０１の測定によって決定される、セル選択に対する候補(すなわち、ターゲット）セルを表す。
【００３８】
ＵＥ２０１は、ステップ２１１で、測定結果がトリガリングされることを感知する。この測定は、ＵＥ２０１がサービングセル又は隣接セルから受信された第１の共通パイロットチャンネル(Primary Common Pilot Channel：以下、“Ｐ-ＣＰＩＣＨ”と称する）を測定し、このサービングセル又は隣接セルの無線チャンネル状態(radio channel condition)を判定する。
【００３９】
測定は、ＵＥ２０１がパワーオン状態であり、ＵＥ２０１が移動中にセル選択のために隣接セルの無線チャンネル状態を知る必要があり、あるいはＵＥ２０１がサービングセル又は隣接セルの無線チャンネル状態を周期的に知る必要がある場合にトリガリングされる。
【００４０】
ステップ２２１で、ＵＥ２０１は、測定結果によってセル選択のための候補セルを選択する。図２では、候補セルのうちの一つがターゲットセル２０２として定義される。
【００４１】
ターゲットセル２０２がセル選択のための候補セルとして選択される場合に、ＵＥ２０１は、ステップ２３１で、ターゲットセル２０２からブロードキャスティングされるシステム情報を受信する。このシステム情報は、ターゲットセル２０２がＵＥ又はＵＥを含む特定のＵＥグループに専用サービスをサービスできるホームセル又は個人ネットワークであるか否かを示すインジケータを含む。このインジケータが、ターゲットセル２０２はホームセル又は個人ネットワークであることを示すと、ＵＥ２０１は、ステップ２４１，２４３，２４５を遂行する。
【００４２】
しなしながら、インジケータが、ターゲットセル２０２はホームセル又は個人ネットワークであることを示していないと、ＵＥ２０１はステップ２５１を遂行する。
【００４３】
ステップ２４１で、ＵＥ２０１は、ＵＥに格納されたアクセス可能リストでターゲットセル２０２を検索する。ここで、アクセス可能リストは、ホームセル又は個人ネットワークに関する特定情報を含む。
【００４４】
ＵＥ２０１は、汎用加入者識別モジュール(Universal Subscriber Identity Module：以下、“ＵＳＩＭ”と称する）のようなメモリにアクセス可能リストを格納することができる。このアクセス可能リストは、ハードコーディング方式によってメモリに予め格納され、あるいはトラッキング領域アップデート(Tracking Area Update：以下、“ＴＡＵ”と称する)の手順中にネットワークエンティティから受信されることができる。
【００４５】
すなわち、ステップ２４１で、ＵＥ２０１は、ターゲットセル２０２がホームセル又は個人ネットワークを含むアクセス可能リストにあるか否かをチェックする。ターゲットセル２０２がアクセスリストにあると、すなわちターゲットセル２０２がホームセル又は個人ネットワークのようなアクセス可能セルであると、ＵＥ２０１は、ステップ２４３でターゲットセル２０２が選択可能であると判定する。別に制限がない限り、ＵＥ２０１は、ターゲットセル２０２にセル選択を遂行する。
【００４６】
ターゲットセル２０２がアクセス可能リストにないと、ＵＥ２０１は、ステップ２４５で、ターゲットセル２０２がセル選択のために適合しないと判定する。したがって、ＵＥ２０１は、セル選択のための他の候補セルを選択する。
【００４７】
ターゲットセル２０２がアクセス可能リストに含まれているか否かに対する判定は、ターゲットセル２０２からブロードキャストされるシステム情報によってなされることができる。すなわち、ＵＥ２０１は、システム情報でターゲットセル２０２のセルＩＤがアクセス可能リストに含まれているか否かを判定する。セルＩＤがＰＬＭＮのみで固有値を有すると、ＵＥ２０１は、セルＩＤとＰＬＭＮのＩＤとがアクセス可能リストに含まれている否かをチェックしなければならない。個人ネットワークＩＤのようなセルＩＤ以外のＩＤが使用されることをさらに考えられる。
【００４８】
一方、ステップ２５１で、ＵＥ２０１は、ターゲットセル２０２を公衆セルであると仮定し、従来のセル選択方式によって選択可能なセルであるか否かを判定する。
【００４９】
図３は、本発明の第１の実施形態によるＵＥの動作を示すフローチャートである。
【００５０】
図３を参照すると、ＵＥがパワーオンされ、ＵＥの移動に従って移動する場合に、ＵＥは、ステップ３０１で、測定結果によってセル選択のための候補セルを選択し、この候補セルからシステム情報を受信する。この候補セルは、セル選択によって、ＵＥが移動を希望するターゲットセルとして設定されることができる。
【００５１】
ステップ３０３で、ＵＥは、候補セルがシステム情報からＵＥ又はＵＥグループのみにアクセス可能な特定セル、すなわちホームセル又は個人ネットワークであるか否かを示すインジケータを獲得する。ＵＥ又はＵＥグループが公衆セルで他の不特定ＵＥとの無線リンクを共有する必要がないため、ＱｏＳ保証は、ＵＥ又はＵＥグループに対して最大化される。
【００５２】
候補セルがホームセル又は個人ネットワークであることをインジケータが示すと、ＵＥは、ステップ３１１に進行し、候補セルのセルＩＤを格納されたアクセス可能リストと比較する。アクセス可能リストは、３ＧＰＰシステムのＵＳＩＭのようなメモリにハードコーディングによって格納され、あるいはＴＡＵ手順中に上位ネットワークエンティティからシグナリングされた後に、ＵＥのメモリに格納される。
【００５３】
候補セルとアクセス可能リストとの比較は、候補セルがアクセス可能リストに含まれているか否かを判定し、特に候補セルのＩＤがアクセス可能リストの特定のセルＩＤにマッチングされるか否かを判定する。候補セルＩＤがセルレベルでのみ固有値、すなわちＰＬＭＮで固有値を有すると、ＵＥは、アクセス可能リストと共に候補セルＩＤとＰＬＭＮ ＩＤとをチェックできる。
【００５４】
アクセス可能リストに候補セルＩＤが存在する場合、ＵＥは、ステップ３２１で、候補セルが、セル選択のために選択可能な(使用可能な)ホームセル又は個人ネットワークであることを判定する。他の情報によって制限されない限り、ＵＥは、ホームセル又は個人ネットワークとして専用セルにセル選択を遂行する。
【００５５】
しかしながら、候補セルの候補セルＩＤがアクセス可能リストに存在しないと、ＵＥは、ステップ３２３で、候補セルがホームセル又は個人ネットワークにアクセスできないと判定する。
【００５６】
ステップ３０５で、候補セルがホームセル又は個人ネットワークセルであることをインジケータが示していないと、ＵＥは、ステップ３３１で候補セルが公衆セルであると見なし、既存方式によってセル選択を遂行する。
【００５７】
図４は、本発明の第１の実施形態によるＥＮＢの動作を示すフローチャートである。
【００５８】
図４を参照すると、ＥＮＢは、ステップ４０１で、このＥＮＢによって管理される特定セルにブロードキャスティングするシステム情報を設定し、ステップ４０３で、セルがホームセル又は個人ネットワークであるか否かを判定する。このホームセル又は個人ネットワークは、運用・保守(Operations & Maintenance：以下、“Ｏ＆Ｍ”と称する)を通じて、あるいは上位ネットワークエンティティからのシグナリングを通じて設定されることができる。したがって、ＥＮＢは、セルが設定されたホームセル/個人ネットワークであるか否かを判定する。
【００５９】
このセルがホームセル/個人ネットワークであると、ＥＮＢは、ステップ４１１で、インジケータを所定のＵＥ又はＵＥグループのみがシステム情報にアクセスできる特定セルを示すように設定する。
【００６０】
しかしながら、セルが特定セルでないと、ＥＮＢは、ステップ４１３で、インジケータを、公衆セル(すなわち、マクロセル)を示すように設定し、これはシステム情報の特定セルではない。
【００６１】
ステップ４２１で、ＥＮＢは、ステップ４１１又はステップ４１３で設定したインジケータをシステム情報ブロック(System Information Block：以下、“ＳＩＢ”と称する)に含めてセルにブロードキャスティングする。
【００６２】
図５は、本発明の第１の実施形態によるＵＥを示すブロック構成図である。
【００６３】
図５を参照すると、送受信部５０１は、候補セルから測定のためのパイロット信号を受信し、あるいは測定結果に従ってセル選択のための候補セルからシステム情報を受信する。
【００６４】
測定部５１１は、送受信部５０１を通じてＵＥのサービングセルと隣接セルから受信されたパイロット信号を測定し、その測定結果に従ってセル選択のための候補セルを決定する。
【００６５】
インジケータ分析部５２１は、候補セルが測定部５１１で選択された後に、送受信部５０１から受信された候補セルのシステム情報をチェックし、そのシステム情報のインジケータを分析する。
【００６６】
セル抽出部５１３は、セルを識別するためのＩＤ情報又は端末の移動性を推定するためのＩＤ情報を抽出して格納する。例えば、ＩＤ情報は、セルＩＤ、ＰＬＭＮ ＩＤ又は個人ネットワークＩＤとなり得る。
【００６７】
インジケータ分析部５２１は、ルインジケータがホームセル又は個人ネットワークを示すか否かを判定する。
【００６８】
アクセス可能判定部５２３は、セル抽出部５１３によって抽出されたセルＩＤがリスト記憶部５２５に格納されている、アクセス可能なホームセル又は個人ネットワークに関する情報を有するアクセス可能リストに含まれているか否かを判定する。このリスト記憶部５２５は、ハードコーディングによってＵＳＩＭにアクセス可能リストを既に格納しており、あるいは所定の上位ネットワークエンティティからこのリストを受信して格納している。
【００６９】
その判定結果は、セル選択のために、セル選択判定部５３１に入力として提供される。
【００７０】
一方、インジケータ分析部５２１が、候補セルはホームセル又は個人ネットワークでないと判定すると、アクセス可能判定部５２３は、候補セルがセル抽出部５１３及びリスト記憶部５２５を通じてアクセス可能であるか否かを判定する必要がない。したがって、ＵＥは、セル選択判定部５３１を通じて、候補セルがアクセス可能であるか否かを従来の方式で判定することができる。すなわち、ＵＥは、候補セルを公衆セルであると見なし、候補セルを含む隣接セルの測定によってセル選択を遂行することができる。
【００７１】
図６は、本発明の第１の実施形態によるＥＮＢを示すブロック構成図である。
【００７２】
図６を参照すると、インジケータ設定部６０１は、Ｏ＆Ｍ又は上位ネットワークエンティティからのシグナリングを通じて、セルがホームセル又は個人ネットワークであるか否かを判定し、ＥＮＢによって管理されるセルのためのインジケータを設定する。
【００７３】
そのため、セルがホームセル又は個人ネットワークである場合に、インジケータ設定部６０１は、システム情報にホームセル又は個人ネットワークを示すようにインジケータを設定する。一方、セルがホームセル又は個人ネットワークでない場合には、インジケータ設定部６０１は、システム情報に公衆セルを示すようにインジケータを設定する。送受信部６１１は、上記セル内のすべてのＵＥにインジケータを含むシステム情報をブロードキャスティングする。
【００７４】
＜第２の実施形態＞
【００７５】
本発明の第２の実施形態は、移動通信システムにおいてサービングセルからブロードキャスティングされる隣接セルリストに含まれる隣接セルがホームセル又は個人ネットワークであると、この隣接セルにアクセス可能なＵＥのみがセル選択を遂行可能にする方法を提供する。本発明は、隣接セルに優先順位を付けるためのオフセットが選択的に割り当てられ、それによってオフセットが隣接セルリストの隣接セル情報に関する情報を含んでいないと、ＵＥは、隣接セルがホームセル又は個人ネットワークでないと見なし、従来の方式で測定を遂行する。
【００７６】
オフセットが隣接セルリストの隣接セル情報に含まれていると、ＵＥは、隣接セルのセルＩＤを、アクセス可能なホームセル又は個人ネットワークに関する情報を含む格納されたアクセス可能リストと比較する。隣接セルがアクセス可能リストに存在する場合、ＵＥは、測定コンテキストから隣接セルを削除し、隣接セルが選択可能でないと判定する。本発明では、ＵＥは、隣接セルが選択可能でないと考える代わりに、その測定を遂行し、隣接セルのオフセットを無視し、あるいは隣接セルの測定に負(negative)のオフセット値を適用することがさらに考慮できる。
【００７７】
しかしながら、隣接セルがアクセス可能リストに含まれていると、ＵＥは、隣接セルがアクセス可能なホームセル又は個人ネットワークであると見なし、隣接セルの測定に正(positive)のオフセット値を適用し、それによってセル選択に対して隣接セルの優先順位を増加させる。このオフセットは、無限大値(infinite value)に設定することができる。
【００７８】
アクセス可能リストに隣接セルの存在又は不在による判定は、ＵＥによって選択されたＰＬＭＮが、情報が隣接セルからブロードキャスティングされるＰＬＭＮと同一であり、アクセス可能なリストに隣接セルからブロードキャスティングされる隣接セルのセルＩＤが含まれるか否かをチェックしてなされることができる。セルＩＤが上記システムでＰＬＭＮに関係なく固有値を有すると、選択されたＰＬＭＮが隣接セルのＰＬＭＮであるか否かをチェックする必要性がなくなる。
【００７９】
図７は、本発明の第２の実施形態によるホームセル又は個人ネットワークを考慮してセル選択方法を示す図である。このセル選択方法は、ＵＥの移動性による再選択のシナリオに適合する。
【００８０】
図７を参照すると、参照符号７０１はＵＥを表し、参照符号７０２は、ＵＥ７０１に対するサービングセルを表す。
【００８１】
ステップ７１１で、サービングセル７０２は、システム情報でＵＥ７０１に隣接セルリストを伝送する。すなわち、ＵＥ７０１は、サービングセル７０２からブロードキャスティングされるシステム情報の測定に使用される隣接セルリストを受信する。隣接セルリストは、ＵＥ７０１が測定を必要とする場合に、測定されるセルに関する情報と、セル選択関連パラメータとを含む。
【００８２】
図７に示した例において、セル選択パラメータは、周波数情報又は各セルのセルＩＤのように、サービングセル及び複数の隣接セルに関する情報が推定できる値を含む。すなわち、隣接セルリストは、セル選択関連パラメータ、特に、ホームセル又は個人ネットワークとなる隣接セルのオフセットを有する。例えば、オフセットは、３ｄｂであり得る。
【００８３】
オフセットは、隣接セルにアクセス可能なＵＥが測定結果としてセル選択のための候補セルを選択する場合に、隣接セルの優先順位を増加させる機能をする。すなわち、隣接セルにアクセス可能な複数のＵＥがその隣接セルを測定する場合には、隣接セルの測定結果に上記オフセットを加算する。
【００８４】
例えば、隣接セルリストは、隣接セル＃１〜隣接セル＃８に関するパラメータを含む。隣接セル＃６がホームセル又は個人ネットワークであると、そのシステム情報は、次のように設定されることができる。
【００８５】
[隣接セルリスト]
【００８６】
隣接セル＃１情報
隣接セル＃２情報
隣接セル＃３情報
隣接セル＃４情報
隣接セル＃５情報
隣接セル＃６情報：隣接セル＃６に優先順位を付けるためのオフセット
隣接セル＃７情報
隣接セル＃８情報
【００８７】
ＵＥ７０１は、ステップ７２１で、オフセットを有する一つ以上の隣接セルを抽出する。上記の例において、ＵＥ７０１は、隣接セル＃６を抽出する。
【００８８】
ＵＥ７０１は、ステップ７２３で、抽出された隣接セル(隣接セル＃６)がアクセス可能なホームセル又は個人ネットワークに関する情報を含むアクセス可能リストに存在するか否かを判定する。
【００８９】
アクセス可能リストは、３ＧＰＰ ＵＳＩＭのようなメモリにハードコーディングによって格納され、あるいはＴＡＵ中にネットワークエンティティからシグナリングされて格納される。隣接セルのセルＩＤがＰＬＭＮのみに固有値を有すると、ＵＥは、ステップ７２３で、セル及びＰＬＭＮのＩＤを上記リストと比較することができる。
【００９０】
ＵＥ７０１は、測定コンテキストから、ステップ７２１で抽出されたがアクセス可能リストに存在しない隣接セルを削除する。すなわち、ＵＥ７０１は、残りの隣接セルを効率的に測定するために、ステップ７２５，７２７でこれら隣接セルを選択不可能であると見なす。
【００９１】
ＵＥ７０１が、移動し、それによってその移動性を保証するために測定が必要である場合には、上記条件、すなわちオフセットを有する条件を満足させ、測定結果から隣接セルを除外することによってアクセス可能リストに含まれていない隣接セルに対する測定を遂行しない。その結果、測定効率性が増加する。すなわち、ステップ７２３でリストに存在しない隣接セルの優先順位は、隣接セルがその測定結果に関係なくアクセス可能でないため、セル選択に対して低くなる。例えば、隣接セル＃６がアクセス可能リストに含まれていないと、ＵＥ７０１は、隣接セル＃６を測定する必要がない。
【００９２】
ステップ７３１で、ＵＥ７０１は、測定が隣接セルに対してトリガリングされたことを感知する。例えば、サービングセルの無線強さがしきい値以下であると、その測定はトリガリングされることができる。
【００９３】
ＵＥ７０１は、ステップ７４１で、隣接セルリストにリスとされた隣接セルを測定する。ここで、ＵＥ７０１は、ホームセル又は個人ネットワークの優先順位化のために、隣接セルリストの隣接セルの中にオフセットを有する隣接セルを測定する。同時に、ＵＥ７０１は、格納されているアクセス可能なリストに存在しない隣接セルに対して測定しないこともある。
【００９４】
ステップ７４１で測定された隣接セルは、ステップ７２１で抽出されたオフセットを有する。格納されたリストに含まれた隣接セルに対して、ＵＥ７０１は、ステップ７４３で、隣接セルの測定のために隣接セルのオフセットを加算する。
【００９５】
これは、セル選択のために候補セルとして選択されるアクセス可能なホームセル又は個人ネットワークの確率を増加させるためである。すなわち、ＵＥは、セル選択中に上記オフセットを測定結果に加算するためのセルに対して上位優先順位を与える。各ホームセル又は個人ネットワークセルのオフセットは、異なることがあり、無限大の値に設定されることができる。
【００９６】
無限大のオフセットを有する隣接セルに対して、ＵＥ７０１は、他の隣接セルに対する測定及びその測定の比較なしに、セル選択のための候補セルとしてすぐに隣接セルを選択できる。
【００９７】
ＵＥ７０１は、ステップ７５１で、隣接セルの測定によってセル選択のための候補セルを選択する。ＵＥ７０１は、ステップ７５３で、候補セルからセル選択関連システム情報を受信して分析し、最終的にその候補セルが選択されるか否かを判定する。
【００９８】
図８Ａ及び図８Ｂは、本発明の第２の実施形態によるＵＥの動作を示すフローチャートである。
【００９９】
図８Ａのステップ８０１〜ステップ８３３は、サービングセルからシステム情報で測定のための隣接セルリストを受信する動作について、図８Ｂのステップ８４１〜８５７は、隣接セルリストに基づいた測定動作について、各々示している。
【０１００】
図８Ａを参照すると、ＵＥは、ステップ８０１で、サービングセルから測定に使用するための隣接セルリストを受信する。
【０１０１】
ステップ８１１で、ＵＥは、上記隣接セルリストからオフセットを有する隣接セルを抽出する。このオフセットは、セル選択中に、ホームセル又は個人ネットワーク、すなわち所定のＵＥ又はＵＥグループのみにアクセス可能な特定のセルに優先順位を付ける機能をする。
【０１０２】
ステップ８１３で、ＵＥは、抽出された隣接セルが、アクセス可能なホームセル又は個人ネットワークセルに関する情報を有する格納されているアクセス可能リストに含まれるか否かをチェックする。このアクセス可能リストは、３ＧＰＰ ＵＳＩＭのようなメモリにハードコーディングによって格納され、あるいはＴＡＵ中にネットワークエンティティからシグナリングされ、その後にメモリに格納される。抽出された隣接セルのＩＤが、ＰＬＭＮに関係なく固有値を有すると、ＵＥは、セルＩＤがアクセス可能リストに含まれているか否かをチェックする。セルＩＤがＰＬＭＮでのみ固有値を有すると、ＵＥは、セルＩＤ-ＰＬＭＮ ＩＤ対がアクセス可能リストに含まれる否かをチェックできる。
【０１０３】
抽出された隣接セルがアクセス可能リストに含まれていないと、ＵＥは、ステップ８３３で、隣接セルを選択不可能であると見なし、測定コンテキストから隣接セルを削除する。すなわち、隣接セルは、測定結果がトリガリングされる場合には測定せず、それによって測定動作の効率性を保証するようになる。
【０１０４】
しかしながら、隣接セルがアクセス可能リストに存在すると、ＵＥは、ステップ８３１で、隣接セルのＩＤ情報又はセルＩＤ及びそのオフセットを格納する。
【０１０５】
図８Ｂは、本発明によるＵＥの測定動作を示すフローチャートである。ＵＥは、ステップ８４１で、例えば、測定がＵＥの移動性のため、隣接セルに対してトリガリングされることを感知する。
【０１０６】
ＵＥは、ステップ８５１で、測定のために判定された隣接セルに対して測定を遂行する。ＵＥは、ステップ８３３で、オフセットを有するとともにアクセス可能リストに含まれていない隣接セル、例えば、測定コンテキストから削除された隣接セルに対しては測定しない。
【０１０７】
一方、ＵＥは、ステップ８３１で、オフセットを有し、アクセス可能なリストに存在する隣接セルに対して測定を遂行する。
【０１０８】
ＵＥは、ステップ８５３で、候補セルの選択のために、アクセス可能なホームセル又は個人ネットワークの優先順位化のために、測定された隣接セルのオフセットをその測定結果に加算する。ＵＥは、制限がない限り、最大測定結果を有する隣接セルを候補セルとして選択することができる。ステップ８５５で、ＵＥは、その測定結果による隣接セルの中からセル選択のための候補セルを選択する。
【０１０９】
ＵＥは、ステップ８５７で、候補セルからセル選択関連システム情報を受信し、この候補セルに選択するか否かを判定する。
【０１１０】
図９は、本発明の第２の実施形態によるＥＮＢの動作を示すフローチャートである。
【０１１１】
図９を参照すると、ＥＮＢは、ステップ９０１で、このＥＮＢによって管理されるセルに対して隣接セルリスト情報を設定する。隣接セルリストは、システム情報に含まれてブロードキャスティングされることができる。
【０１１２】
ステップ９０３で、ＥＮＢは、Ｏ＆Ｍによって、又は上位ネットワークエンティティからのシグナリングを通じて、隣接セルリスト内の隣接セルがホームセル又は個人ネットワークであるか否かを判定する。
【０１１３】
ステップ９０５で、隣接セルがホームセル又は個人ネットワークであると、ＥＮＢは、ステップ９１１で、隣接セルリストの隣接セルに対するオフセットを明示的又は暗示的に含むことができる。このオフセットは、セル選択のための隣接セルの優先順位を決めるためにＵＥに使用される。
【０１１４】
隣接セルがホームセル又は個人ネットワークでないと、ＥＮＢは、ステップ９１３で、隣接セルリストの隣接セルに対するオフセットを含んでいない。
【０１１５】
オフセットの設定が隣接セルリストに含まれるすべての隣接セルに対して完了した場合に、ＥＮＢは、ステップ９２１で、システム情報のセルに隣接セルリストをブロードキャスティングする。
【０１１６】
図１０は、本発明の第２の実施形態によるＵＥを示すブロック構成図である。
【０１１７】
図１０を参照すると、送受信部１００１は、測定のためのパイロット信号を受信し、サービングセルからシステム情報で隣接セルリストを受信し、測定結果によってセル選択のために候補セルからシステム情報を受信する。
【０１１８】
隣接セルリスト受信部１０１１は、送受信部１００１から受信されたシステム情報で隣接セルリストをチェックする。
【０１１９】
隣接セル抽出部１０３１は、ＵＥがホームセル又は個人ネットワークとなる隣接セルにアクセスできるように、隣接セルリストからオフセットを有する隣接セルを抽出し、このオフセットを用いてセル選択のために優先順位を付ける。
【０１２０】
アクセス可能判定部１０３３は、抽出された隣接セルがアクセス可能なホームセル又は個人ネットワークに関する情報を含む、リスト記憶部１０３５に格納されたアクセス可能リストを用いてアクセス可能であるか否かを判定する。すなわち、アクセス可能判定部１０３３は、抽出された隣接セルがアクセス可能リストに含まれているか否かを判定する。
【０１２１】
抽出された隣接セルのセルＩＤがアクセス可能リストに含まれていないと、測定コンテキスト管理部１０２１は、測定コンテキストから隣接セルを削除する。
【０１２２】
一方、抽出された隣接セルのセルＩＤがアクセス可能リストに含まれると、測定部１０４１は、ホームセル又は個人ネットワークの選択のために、隣接セルを測定し、隣接セルの優先順位を付けるためにその測定結果にオフセットを加算する。
【０１２３】
したがって、セル選択判定部１０５０は、測定部１０４１から受信された測定結果によってセル選択のための候補セルを選択し、候補セルから受信されたセル選択関連システム情報を分析し、特に制限がない限り、ホームセル又は個人ネットワークとなる候補セルを選択する。
【０１２４】
図１１は、本発明の第２の実施形態によるＥＮＢを示すブロック構成図である。
【０１２５】
図１１を参照すると、ホームセルチェッカー１１０１は、システム情報に含まれて伝送される隣接セルリスト内の隣接セルが、所定のＵＥ又はＵＥグループにアクセス可能なホームセル又は個人ネットワークに該当する特定セルであるか否かを判定する。
【０１２６】
隣接セルが特定セルであると、オフセット設定部１１０３は、隣接セルにアクセスできるＵＥのために選択される隣接セルの確率を増加させるためにオフセットを設定する。
【０１２７】
隣接セルリストに含まれるすべての隣接セルに対して、ホームセルチェッカー１１０１が、隣接セルがホームセル又は個人ネットワークとして動作できるか否かに対する判定を完了し、オフセット設定部１１０３が、ホームセル又は個人ネットワークとなる隣接セルに対してオフセット設定を完了すると、隣接セルリスト設定部１１０５は、隣接セルリストの設定を完了する。
【０１２８】
送受信部１１１１は、システム情報でセル内のすべてのＵＥに隣接セルをブロードキャスティングする。
【０１２９】
以上、本発明の詳細な説明においては具体的な実施形態に関して説明したが、特許請求の範囲を外れない限り、様々な変更が可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【符号の説明】
【０１３０】
５０１ 送受信部
５１１ 測定部
５１３ セル抽出部
５２１ インジケータ分析部
５２３ アクセス可能判定部
５２５ リスト記憶部
５３１ セル選択判定部
【図１】
0005462338.tif 000002
【図２】
0005462338.tif 000003
【図３】
0005462338.tif 000004
【図４】
0005462338.tif 000005
【図５】
0005462338.tif 000006
【図６】
0005462338.tif 000007
【図７】
0005462338.tif 000008
【図８Ａ】
0005462338.tif 000009
【図８Ｂ】
0005462338.tif 000010
【図９】
0005462338.tif 000011
【図１０】
0005462338.tif 000012
【図１１】
0005462338.tif 000013